(57)【要約】      （修正有）【課題】建物内の利用効率は低下させずに、建物内の全ての空間において高い付加価値を備えた建築物を提供する。【解決手段】複数階の建物と当該建物に隣接した広場とを少なくとも有する建築物であって、前記建物の壁面には窓が設置され、前記広場には表面が透明な部材から構成された大規模水槽が配置されており、前記大規模水槽は、前記建物の壁面と前記大規模水槽の表面を構成する透明な部材とが一体となって形成されていることを特徴とする建築物。【選択図】図２
0003146272.tif 000002
【実用新案登録請求の範囲】
【請求項１】
複数階の建物と当該建物に隣接した広場とを少なくとも有する建築物であって、
前記建物の壁面には窓が設置され、
前記広場には表面が透明な部材から構成された大規模水槽が配置されており、
前記大規模水槽は、前記建物の壁面と前記大規模水槽の表面を構成する透明な部材とが一体となって形成されていることを特徴とする建築物。
【請求項２】
前記建物が前記広場を取り囲む様に配置されていていることを特徴とする請求項１に記載の建築物。
【請求項３】
前記建物の上層部に前記広場を覆う様に設置されたドームを有することを特徴とする請求項２に記載の建築物。
【請求項４】
前記窓が、建物の壁面から大規模水槽に向かって突出する出窓となっていることを特徴とする請求項１から３のいずれかに記載の建築物。
【請求項５】
前記大規模水槽の内部に移動設備が設置されていることを特徴とする請求項１から４のいずれかに記載の建築物。
【請求項６】
前記移動設備がエスカレータまたはエレベータのいずれかであることを特徴とする請求項５に記載の建築物。
【請求項７】
前記エレベータが、透明な円筒部材と、当該透明な円筒部材内に配置される観覧室とを有し、
前記観覧室が回転しながら昇降するように構成されていることを特徴とする請求項６に記載の建築物。
【請求項８】
前記建物が少なくとも宿泊施設、飲食施設または販売施設のいずれかの施設を有することを特徴とする請求項１から７のいずれかに記載の建築物。
【考案の詳細な説明】
【技術分野】
【０００１】
本考案は、宿泊施設、飲食施設等を有する建物に好適な大規模水槽を備えた建築物に関する。
【背景技術】
【０００２】
宿泊施設や飲食施設などでは、顧客の満足を得るために高質のサービスを提供することはもとより、建築物自体に工夫を凝らして、宿泊施設、飲食施設としての付加価値を高める努力がなされている。
【０００３】
特許文献１には、高層ビルのエレベータに隣接した空間に水槽やミュージアムなどからなる展示空間を設けることで、エレベータ内のアメニテイの充実とビル全体の美観の向上を図ったエレベータ装置が開示されている。
【０００４】
しかし、このようなエレベータ装置を備えた建物は、建物内に展示空間を設けるため、建物空間の利用効率が低下してしまう。また、建物内に展示空間を設けることから、建物の柱や壁が障害となるため建物の外観を向上させる効果は限られたものとなる。
【０００５】
また、宿泊施設や飲食施設などを有する建物においては、眺望の良い高層階や海・川、景勝物などに面した空間は高い付加価値を有する反面、同じ建物内にあっても、低層階や海・川、景勝物などの反対方向に面した空間の付加価値は相対的に低くなるという課題があった。
【特許文献１】特開平７−２５５６４号公報
【考案の開示】
【考案が解決しようとする課題】
【０００６】
本考案は、前記課題を解決しようとなされたものであって、建物空間の利用効率は低下させずに、全ての空間において高い付加価値を備えた建築物を提供することを目的とする。
【課題を解決するための手段】
【０００７】
本考案は、前述したような従来技術における課題および目的を達成するために考案されたものであって、本考案の建築物は、
複数階の建物と当該建物に隣接した広場とを少なくとも有する建築物であって、
前記建物の壁面には窓が設置され、
前記広場には表面が透明な部材から構成された大規模水槽が配置されており、
前記大規模水槽は、前記建物の壁面と前記大規模水槽の表面を構成する透明な部材とが一体となって形成されていることを特徴とする。
【０００８】
本考案を上記のとおり構成することによって、建物空間の利用効率は低下させずに、大規模水槽に面する建物空間に高い付加価値を備えさせることができる。
また、上記考案において、前記建物が前記広場を取り囲む様に配置されていていることが望ましく、特に、前記建築物は、前記建物の上層部に前記広場を覆う様に設置されたドームを有することが望ましい。
【０００９】
本考案を上記のとおり構成することによって、大規模水槽に面する建物空間や広場空間に高い付加価値を備えさせることができる。また、ドームにより広場に照射する採光量を調整することによって、広場空間の演出性を高めることが可能となる。
【００１０】
さらに、上記考案において、前記窓が、建物の壁面から大規模水槽に向かって突出する出窓となっていることが望ましい。
本考案を上記のとおり構成することによって、建物内に居ながら、大規模水槽を内側から鑑賞することが可能となり、大規模水槽に面した建物空間の付加価値をさらに高めることができる。
【００１１】
また、上記考案において、前記大規模水槽の内部に移動設備が設置されていることが望ましく、特に、前記移動設備がエスカレータまたはエレベータのいずれかであることが望ましい。さらに、前記移動設備がエレベータである場合は、前記エレベータは、透明な円筒部材と、当該透明な円筒部材内に配置される観覧室とを有し、前記観覧室が回転しながら昇降するように構成されていることが望ましい。
【００１２】
本考案を上記のとおり構成することによって、移動設備で移動しながら、大規模水槽を内側から鑑賞することが可能となり、建築物全体の付加価値を高めることができる。
さらに、上記考案において、前記建物が少なくとも宿泊施設、飲食施設または販売施設のいずれかの施設を有することが望ましい。
【００１３】
本考案を上記のとおり構成することによって、建物空間の利用効率は低下させずに、全ての空間に高い付加価値を備えさせることができるとの本考案の効果が、より好適に発揮される。
【考案の効果】
【００１４】
本考案によれば、建物空間の利用効率は低下させずに、全ての空間において高い付加価値を備えた建築物とすることができる。
【考案を実施するための最良の形態】
【００１５】
以下、図面を参照しながら本考案について説明するが、本考案はこれらの実施例に何ら限定されるものではない。
図１は本考案における建築物１の実施例を示す平面図である。図２は図１におけるＡ−Ａ方向の断面図である。図３は図１におけるＢ−Ｂ方向の断面図である。
【００１６】
図１および図２に示すように、実施例の建築物１は、広場４を取り囲むように配置された建物２と、広場４に配置された大規模水槽６Ａ、６Ｂと、広場４を覆う様に設置されたドーム８とからなる。建物２は、例えば地下１階、地上１０階からなり、その屋上部分にドーム８が形成されている。ドーム８は、開閉可能な構造となっており、広場４へ照射する光量を調整できるようになっている。また、建物２には２箇所の出入口が形成されており、地下１階から２階までが水族館、３階から８階までが宿泊施設、９階と１０階が飲食施設と販売施設となっている。
【００１７】
建物２の内部は、広場４に面した建物２の内周側空間２ａと、建物２の外周側空間２ｂとに区分される。なお、建築物１の周囲には、四方に海、川、景勝物などがあり、眺望がよく、建物２の外周側空間２ｂは高い付加価値を有しているものとする。
【００１８】
大規模水槽６Ａ、６Ｂは、平面略半円形の透明な部材６ｍの平面両端が建物２の内周壁面３に固設されることで、構築されている。すなわち、大規模水槽６Ａ、６Ｂは、透明な部材６ｍと建物２の内周壁面３とが一体となって形成される。また、透明な部材６ｍは大規模水槽６Ａ、６Ｂの表面を構成する。
【００１９】
このように、大規模水槽６Ａ、６Ｂは建物内には配置されないため、建物２の空間の利
用効率は低下しない。また、内周側空間２ａや広場４からは大規模水槽６Ａ、６Ｂを鑑賞することができるため、内周側空間２ａや広場４の付加価値を高めることができる。なお、透明な部材６ｍは、鑑賞性や耐久性の点からアクリルガラスであることが望ましい。
【００２０】
建物２の内周壁面３には、窓１０が設置されている。ここで、図４に示すように、窓１０を内周壁面３から大規模水槽６に向かって突出している出窓とすることで、建物内に居ながら、大規模水槽６を内側から鑑賞することができる。なお、窓１０の材料は、鑑賞性や耐久性の点からアクリルガラスであることが望ましい。
【００２１】
図４は図１のＡ−Ａ方向における大規模水槽６Ａの部分拡大断面図である。大規模水槽６Ａ内には、透明な部材１６ｍに覆われたエスカレータ１６が、内周壁３に固着されて設置されており、エスカレータ１６に乗った人が、移動しながら大規模水槽６Ａを内側から鑑賞することができるようになっている。なお、透明な部材１６ｍは、鑑賞性や耐久性の点からアクリルガラスであることが望ましい。
【００２２】
図５は図１のＡ−Ａ方向における大規模水槽６Ｂの部分拡大断面図である。大規模水槽６Ｂ内には、図５に示すように、透明な円筒部材１７ｍと、透明な円筒部材１７ｍ内に配置される観覧室１７ｒとからなるエレベータ１７が設置されている。観覧室１７ｒはシャフト１７ｓと連結されて３６０度回転しながら昇降するように構成されているため、エレベータ１７に乗った人が、大規模水槽６Ｂを内側から鑑賞することができるようになっている。なお、透明な円柱部材１７ｍは、鑑賞性や耐久性の点からアクリルガラスであることが望ましい。
【００２３】
大規模水槽６Ａ、６Ｂの下部には、建物２の出入口と連絡するトンネル水槽１４が構築されている。トンネル水槽１４は断面略馬蹄形状の透明な部材から構築され、人が通行できる程度の断面空間を有しており、トンネル水槽１４内を通行する人が大規模水槽６Ａ、６Ｂを真下から見上げるように鑑賞することができるようになっている。また、大規模水槽６Ａ、６Ｂの上部には、大規模水槽６Ａ、６Ｂの維持管理や大規模水槽６Ａ、６Ｂ内で演出等を行うための空間として、バックヤード１２が形成されており、図３に示すバックヤード入口１２ａから出入りができるようになっている。さらに、大規模水槽６Ａ、６Ｂの天端空間では、９階の飲食施設の一部として空中レストラン１８が設置されており、水上にいる様な雰囲気の中で、来客者が飲食をすることができるようになっている。なお、大規模水槽Ｂの下部および天端空間には、エレベータ乗り場２０が配置されている。
【００２４】
大規模水槽６Ａ、６Ｂの容量は、建物２の規模にもよるが少なくとも１０００ｍ3以上
であることが、建築物１全体の付加価値を高める点から望ましい。また、大規模水槽６Ａ内にはピナクル６ａが設置されており、大規模水槽６Ａの鑑賞性を高めるとともに、大規模水槽６Ａに必要な水量を減らしている。
【００２５】
大規模水槽６Ａ、６Ｂには主として魚を展示する。この際、大規模水槽６Ａ、６Ｂの内側および外側にコンピュータにより制御可能な照明設備を設置することで、光を利用した様々な演出を行うことが可能となる。
【００２６】
また、大規模水槽６Ａ、６Ｂが設置されている広場４は、ドーム８に覆われており、天候に左右されないため、コンサートや結婚式等のイベント会場として利用することが可能である。この際、ドーム８によって広場４へ照射する光量を調整することや、大規模水槽６Ａ、６Ｂに設置された照明設備を利用することで、イベントの演出性をさらに高めることが可能となる。
【００２７】
本実施例では、建築物１を上記のとおり構成することによって、大規模水槽６Ａ、６Ｂ
に面した建物２の内周側空間２ａや広場４に高い付加価値を備えさせることができ、外周側空間２ｂも含めた全ての空間において、高い付加価値を備えた建築物とすることができる。
【００２８】
なお、実施例の建築物１は、建物２が広場４を囲むように配置されているが、建物２の形状は平面略コの字状であっても、平面略長方形であってもよく、特に限定されない。
また、実施例の建物２は地上１０階建ての中層建築であるが、建物２は１０階建て以上の高層建築であってもよい。高層建築では高層階ほど景色の眺めがよく建物空間の付加価値は高いが、低・中層階の壁面と一体となった大規模水槽を配置することで低・中層階の建物内空間の付加価値を高めることができ、全ての空間において高い付加価値を備えた建築物とすることができる。
【００２９】
さらに、実施例の大規模水槽６Ａ、６Ｂは、建物２の内周側だけに配置されているが、特に限定されない。建物の外側に海・川、景勝物などがなく、外周側空間２ｂに高い付加価値が期待できない場合は、建物の内周側だけでなく外周側にも大規模水槽が配置されていてもよい。
【００３０】
また、実施例の大規模水槽６Ａ、６Ｂの平面形状は略半円形であるが、建物の構造や形状によっては矩形や三角形であってもよく、特に限定されない。
さらに、実施例のドーム８は、開閉可能な構造で採光量を調整できるものであるが、ドーム８を開閉可能な構造とするのに替えて、ドーム８を透光性部材から構成することで、採光量を調整できるようにしてもよい。
【００３１】
以上、本考案の好ましい実施例を説明したが、本考案はこれに限定されることなく、本考案の目的を逸脱しない範囲で種々の変更が可能である。
【図面の簡単な説明】
【００３２】
【図１】図１は本考案における建築物１の実施例を示す平面図である。
【図２】図２は図１におけるＡ−Ａ方向の断面図である。
【図３】図３は図１におけるＢ−Ｂ方向の断面図である。
【図４】図４は図１のＡ−Ａ方向における大規模水槽６Ａの部分拡大断面図である。
【図５】図５は図１のＡ−Ａ方向における大規模水槽６Ｂの部分拡大断面図である。
【符号の説明】
【００３３】
１      建築物
２      建物
２ａ    建物２の内周側空間
２ｂ    建物２の外周側空間
３      建物２の内周壁面
４      広場
６Ａ、６Ｂ      大規模水槽
６ａ    ピナクル
６ｍ    透明な部材
８      ドーム
１０     窓
１２     バックヤード
１２ａ  バックヤード入口
１４     トンネル水槽
１６     エスカレータ
１６ｍ  透明な部材
１７    エレベータ
１７ｍ  透明な円筒部材
１７ｒ  観覧室
１７ｓ  シャフト
１８    空中レストラン
２０    エレベータ乗り場
【図１】
0003146272.tif 000003
【図２】
0003146272.tif 000004
【図３】
0003146272.tif 000005
【図４】
0003146272.tif 000006
【図５】
0003146272.tif 000007